【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
第１の変調シンボルストリームからの非ゼロ変調シンボルと、第２の変調シンボルストリームからの変調シンボルとを織り交ぜることであって、前記第１の変調シンボルストリームは、非ゼロ変調シンボルとゼロ変調シンボルとを含み、前記第２の変調シンボルストリームからの変調シンボルの少なくともいくつかは、織り交ぜ変調シンボルストリームを生成するために、前記第１の変調シンボルストリームのゼロ変調シンボルに取って代わることと、
前記織り交ぜ変調シンボルストリームを送信することと、
を備え、
前記第１の変調シンボルストリームは、ある比に従って前記非ゼロ変調シンボルおよび前記ゼロ変調シンボルを含み、前記比は、正の整数同士の比ＮＺ／ＮＳＳであり、前記比は、ｉ）伝送セグメントの一部分にマッピングされた前記ゼロ変調シンボルの数の、ｉｉ）前記伝送セグメントの前記一部分内の最小伝送単位の総数、に対する分数比であり、
前記比は、選択されたゼロシンボルレートに対応し、前記選択されたゼロシンボルレートは、複数の所定のゼロシンボルレートのうちの１つであり、前記選択されたゼロシンボルレートは、前記伝送セグメントにおいて送信されるシンボルに使用されるために選択されており、
前記伝送セグメントにおいて搬送された符号化ビットの総数は、前記選択されたゼロシンボルレートにしたがって含まれた前記伝送セグメントにおける非ゼロ変調シンボルの位置によって前記伝送セグメントにおいて搬送された符号化ビットの数と、前記伝送セグメントにおける非ゼロ変調シンボルの位相によって前記伝送セグメントにおいて搬送された符号化ビットの数との合計である
通信方法。
【請求項２】
前記送信することは、ＯＦＤＭトーンシンボルを使用して、前記織り交ぜ変調シンボルストリームからの変調シンボルを送信することを含む、請求項１に記載の方法。
【請求項３】
前記伝送セグメントは、トラヒックチャネルセグメントである、請求項１に記載の方法。
【請求項４】
前記第１の変調シンボルストリーム内の、少なくともいくつかのゼロ変調シンボルの位置を決定することをさらに備え、
前記織り交ぜの一環として実施される前記取って代わることは、決定された位置に対応するゼロ変調シンボルを置き換える、請求項１に記載の方法。
【請求項５】
前記送信することは、
前記第１の変調シンボルストリームから得られた非ゼロ変調シンボルを、前記織り交ぜストリーム内で、前記第２の変調シンボルストリームから得られた非ゼロ変調シンボルより高い電力レベルで送信することを含む、請求項４に記載の方法。
【請求項６】
前記第１の変調シンボルストリームは、前記第２の変調シンボルストリームより低い情報データレートを有する、請求項５に記載の方法。
【請求項７】
前記第１の変調ストリームの非ゼロ変調シンボルは、第１のコンステレーションに対応し、
前記第２の変調ストリームの非ゼロ変調シンボルは、第２のコンステレーションに対応し、前記第１および第２のコンステレーションは異なる、請求項５に記載の方法。
【請求項８】
前記第１の変調ストリームの非ゼロ変調シンボルは、第１のコンステレーションに対応し、
前記第２の変調ストリームの非ゼロ変調シンボルは、第２のコンステレーションに対応し、前記第１および第２のコンステレーションは異なる数のシンボルを含む、請求項５に記載の方法。
【請求項９】
前記織り交ぜ変調ストリームを受信する第１および第２の受信機を選択することをさらに備え、前記第１の受信機は、前記第１の変調シンボルストリームによって搬送される情報を回復するように選択され、前記第２の受信機は、前記第２の変調シンボルストリームによって搬送される情報を回復するように選択される、請求項１に記載の方法。
【請求項１０】
前記第１および第２の受信機は、別々のユーザに対応し、前記選択された無線端末に搬送される情報の正常回復に必要な、異なる送信電力レベルに基づいて選択される、請求項９に記載の方法。
【請求項１１】
伝送セグメントの前記一部分はサブセグメントである、請求項１に記載の方法。
【請求項１２】
前記比ＮＺ／ＮＳＳは、７／８、３／４、５／８、１／２、３／８、１／４、および１／８のうちの１つである、請求項１１に記載の方法。
【請求項１３】
前記サブセグメントサイズは、２、３、４、５、６、７、および８のうちの１つであり、前記サブセグメントサイズは、前記サブセグメント内の最小伝送単位の数を示す、請求項１１に記載の方法。
【請求項１４】
前記サブセグメントサイズは、２、３、４、５、６、７、および８のうちの１つの整数倍であり、前記サブセグメントサイズは、前記サブセグメント内の最小伝送単位の数を示す、請求項１１に記載の方法。
【請求項１５】
ＮＳＳは２の倍数であり、
ＮＺは奇数である、請求項１に記載の方法。
【請求項１６】
前記第１の変調ストリーム内のシンボルによって伝達される少なくともいくつかの情報ビットは、位置符号化を用いて伝達され、前記第１のシンボルストリームによって伝達される少なくともいくつかの他の情報ビットは、位相符号化を用いて伝達される、請求項１に記載の方法。
【請求項１７】
第１の変調シンボルストリームからの非ゼロ変調シンボルと、第２の変調シンボルストリームからの変調シンボルとを織り交ぜる手段であって、前記第１の変調シンボルストリームは、非ゼロ変調シンボルとゼロ変調シンボルとを含み、前記第２の変調シンボルストリームからの変調シンボルの少なくともいくつかは、織り交ぜ変調シンボルストリームを生成するために、前記第１の変調シンボルストリームのゼロ変調シンボルに取って代わる手段と、
前記織り交ぜ変調シンボルストリームを送信する手段とを備え、
前記第１の変調シンボルストリームは、ある比に従って前記非ゼロ変調シンボルおよび前記ゼロ変調シンボルを含み、前記比は、正の整数同士の比ＮＺ／ＮＳＳであり、前記比は、ｉ）伝送セグメントの一部分にマッピングされた前記ゼロ変調シンボルの数の、ｉｉ）前記伝送セグメントの前記一部分内の最小伝送単位の総数、に対する分数比であり、
前記比は、選択されたゼロシンボルレートに対応し、前記選択されたゼロシンボルレートは、複数の所定のゼロシンボルレートのうちの１つであり、前記選択されたゼロシンボルレートは、前記伝送セグメントにおいて送信されるシンボルに使用されるために選択されており、
前記伝送セグメントにおいて搬送された符号化ビットの総数は、前記選択されたゼロシンボルレートにしたがって含まれた前記伝送セグメントにおける非ゼロ変調シンボルの位置によって前記伝送セグメントにおいて搬送された符号化ビットの数と、前記伝送セグメントにおける非ゼロ変調シンボルの位相によって前記伝送セグメントにおいて搬送された符号化ビットの数との合計である
通信装置。
【請求項１８】
前記送信する手段は、ＯＦＤＭトーンシンボルを使用して、前記織り交ぜ変調シンボルストリームからの変調シンボルを送信するＯＦＤＭ送信機モジュールを含む、請求項１７に記載の装置。
【請求項１９】
前記伝送セグメントは、トラヒックチャネルセグメントである、請求項１７に記載の装置。
【請求項２０】
前記織り交ぜる手段は、
前記第１の変調シンボルストリーム内の、少なくともいくつかのゼロ変調シンボルの位置を決定する手段と、
前記第１の変調シンボルストリームからの非ゼロ変調シンボルを、前記第２の変調シンボルストリームからの変調シンボルと結合する手段と、
を含む、請求項１７に記載の装置。
【請求項２１】
前記結合する手段は、
前記織り交ぜることの一環として、前記第１の変調シンボルストリーム内にシンボルが発生する位置に対応するゼロ変調シンボルを置き換える手段を含む、請求項２０に記載の装置。
【請求項２２】
前記第１の変調シンボルストリームから得られた、前記織り交ぜストリーム内の非ゼロ変調シンボルの送信電力を制御して、前記織り交ぜストリーム内の前記非ゼロ変調シンボルが、前記第２の変調シンボルストリームから得られた非ゼロ変調シンボルより高い電力レベルで送信されるようにする電力制御送信手段を含む、請求項２０に記載の装置。
【請求項２３】
前記第１の変調シンボルストリームは、前記第２の変調シンボルデータストリームより低い情報データレートを有する、請求項２２に記載の装置。
【請求項２４】
前記第１の変調ストリームの非ゼロ変調シンボルは、第１のコンステレーションに対応し、
前記第２の変調ストリームの非ゼロ変調シンボルは、第２のコンステレーションに対応し、前記第１および第２のコンステレーションは異なる、請求項２２に記載の装置。
【請求項２５】
前記第１の変調ストリームの非ゼロ変調シンボルは、第１のコンステレーションに対応し、
前記第２の変調ストリームの非ゼロ変調シンボルは、第２のコンステレーションに対応し、前記第１および第２のコンステレーションは異なる数のシンボルを含む、請求項２２に記載の装置。
【請求項２６】
前記織り交ぜ変調ストリームを受信する第１および第２の受信機を選択する手段をさらに備え、前記第１の受信機は、前記第１の変調シンボルストリームによって搬送される情報を回復するように選択され、前記第２の受信機は、前記第２の変調シンボルストリームによって搬送される情報を回復するように選択される、請求項１７に記載の装置。
【請求項２７】
前記第１および第２の受信機は、別々のユーザに対応し、前記選択された無線端末に搬送される情報の正常回復に必要な、異なる送信電力レベルに基づいて選択される、請求項２６に記載の装置。
【請求項２８】
第１の変調シンボルストリームからの非ゼロ変調シンボルと、第２の変調シンボルストリームからの変調シンボルとを織り交ぜる、シンボル織り交ぜモジュールであって、前記第１の変調シンボルストリームは、非ゼロ変調シンボルとゼロ変調シンボルとを含み、前記第２の変調シンボルストリームからの変調シンボルの少なくともいくつかは、織り交ぜ変調シンボルストリームを生成するために、前記第１の変調シンボルストリームのゼロ変調シンボルに取って代わる、シンボル織り交ぜモジュールと、
前記織り交ぜ変調シンボルストリームを送信する送信機モジュールとを備え、
前記第１の変調シンボルストリームは、ある比に従って前記非ゼロ変調シンボルおよび前記ゼロ変調シンボルを含み、前記比は、正の整数同士の比ＮＺ／ＮＳＳであり、前記比は、ｉ）伝送セグメントの一部分にマッピングされた前記ゼロ変調シンボルの数の、ｉｉ）前記伝送セグメントの前記一部分内の最小伝送単位の総数、に対する分数比であり、
前記比は、選択されたゼロシンボルレートに対応し、前記選択されたゼロシンボルレートは、複数の所定のゼロシンボルレートのうちの１つであり、前記選択されたゼロシンボルレートは、前記伝送セグメントにおいて送信されるシンボルに使用されるために選択されており、
前記伝送セグメントにおいて搬送された符号化ビットの総数は、前記選択されたゼロシンボルレートにしたがって含まれた前記伝送セグメントにおける非ゼロ変調シンボルの位置によって前記伝送セグメントにおいて搬送された符号化ビットの数と、前記伝送セグメントにおける非ゼロ変調シンボルの位相によって前記伝送セグメントにおいて搬送された符号化ビットの数との合計であり、
前記伝送セグメントは、トラヒックチャネルセグメントである
通信装置。
【請求項２９】
前記送信機モジュールは、
ＯＦＤＭトーンシンボルを使用して、前記織り交ぜ変調シンボルストリームからの変調シンボルを送信するＯＦＤＭ送信機モジュールを含む、請求項２８に記載の装置。
【請求項３０】
前記第１のシンボルストリームを生成するために用いられる符号化および変調方法の少なくとも１つを選択する変調セレクタをさらに備え、前記第１のシンボルストリームは、選択されたゼロシンボルレートを有する、請求項２８に記載の装置。
【請求項３１】
前記織り交ぜモジュールは、
前記第１の変調シンボルストリーム内の、少なくともいくつかのゼロ変調シンボルの位置を決定するゼロシンボル検出器と、
前記第１の変調シンボルストリームからの非ゼロ変調シンボルを、前記第２の変調シンボルストリームからの変調シンボルと結合する織り交ぜ器と、
を含む、請求項２８に記載の装置。
【請求項３２】
前記織り交ぜ器は、
前記織り交ぜることの一環として、前記第１の変調シンボルストリーム内にシンボルが発生する位置に対応するゼロ変調シンボルを置き換える置換モジュールを含む、請求項３１に記載の装置。
【請求項３３】
前記第１の変調シンボルストリームから得られた、前記織り交ぜストリーム内の非ゼロ変調シンボルの送信電力を制御して、前記織り交ぜストリーム内の前記非ゼロ変調シンボルが、前記第２の変調シンボルストリームから得られた非ゼロ変調シンボルより高い電力レベルで送信されるようにする電力制御モジュールを含む、請求項３１に記載の装置。
【請求項３４】
前記第１の変調シンボルストリームは、前記第２の変調シンボルストリームより低い情報データレートを有する、請求項３３に記載の装置。
【請求項３５】
前記第１の変調ストリームの非ゼロ変調シンボルが対応する第１のコンステレーションについての情報と、
前記第２の変調ストリームの非ゼロ変調シンボルが対応する第２のコンステレーションについての情報と、を含む、ストアドコンステレーション情報をさらに備え、前記第１および第２のコンステレーションは異なる、請求項３３に記載の装置。
【請求項３６】
前記第１の変調ストリームの非ゼロ変調シンボルは、第１のコンステレーションに対応し、
前記第２の変調ストリームの非ゼロ変調シンボルは、第２のコンステレーションに対応し、前記第１および第２のコンステレーションは異なる数のシンボルを含む、請求項３３に記載の装置。
【請求項３７】
前記織り交ぜ変調ストリームを受信する第１および第２の受信機を選択する選択モジュールをさらに備え、前記第１の受信機は、前記第１の変調シンボルストリームによって搬送される情報を回復するように選択され、前記第２の受信機は、前記第２の変調シンボルストリームによって搬送される情報を回復するように選択される、請求項２８に記載の装置。
【請求項３８】
前記第１および第２の受信機は、別々のユーザに対応し、前記選択された無線端末に搬送される情報の正常回復に必要な、異なる送信電力レベルに基づいて選択される、請求項３７に記載の装置。
【請求項３９】
通信方法を実施する装置を制御する命令を実施するコンピュータ可読媒体であって、前記方法は、
第１の変調シンボルストリームからの非ゼロ変調シンボルと、第２の変調シンボルストリームからの変調シンボルとを織り交ぜることであって、前記第１の変調シンボルストリームは、非ゼロ変調シンボルとゼロ変調シンボルとを含み、前記第２の変調シンボルストリームからの変調シンボルの少なくともいくつかは、織り交ぜ変調シンボルストリームを生成するために、前記第１の変調シンボルストリームのゼロ変調シンボルに取って代わることと、
前記織り交ぜ変調シンボルストリームを送信することとを備え、
前記第１の変調シンボルストリームは、ある比に従って前記非ゼロ変調シンボルおよび前記ゼロ変調シンボルを含み、前記比は、正の整数同士の比ＮＺ／ＮＳＳであり、前記比は、ｉ）伝送セグメントの一部分にマッピングされた前記ゼロ変調シンボルの数の、ｉｉ）前記伝送セグメントの前記一部分内の最小伝送単位の総数、に対する分数比である、
前記比は、選択されたゼロシンボルレートに対応し、前記選択されたゼロシンボルレートは、複数の所定のゼロシンボルレートのうちの１つであり、前記選択されたゼロシンボルレートは、前記伝送セグメントにおいて送信されるシンボルに使用されるために選択されており、
前記伝送セグメントにおいて搬送された符号化ビットの総数は、前記選択されたゼロシンボルレートにしたがって含まれた前記伝送セグメントにおける非ゼロ変調シンボルの位置によって前記伝送セグメントにおいて搬送された符号化ビットの数と、前記伝送セグメントにおける非ゼロ変調シンボルの位相によって前記伝送セグメントにおいて搬送された符号化ビットの数との合計である
コンピュータ可読媒体。
【請求項４０】
前記送信することの前記ステップの一環として、ＯＦＤＭトーンシンボルを使用して、前記織り交ぜ変調シンボルストリームからの変調シンボルを送信する命令をさらに実施する、請求項３９に記載のコンピュータ可読媒体。
【請求項４１】
前記伝送セグメントは、トラヒックチャネルセグメントである、請求項３９に記載のコンピュータ可読媒体。
【請求項４２】
前記第１の変調シンボルストリーム内の、少なくともいくつかのゼロ変調シンボルの位置を決定する命令をさらに実施し、
前記織り交ぜの一環として実施される前記取って代わることは、決定された位置に対応するゼロ変調シンボルを置き換える、請求項３９に記載のコンピュータ可読媒体。